(57)【要約】【課題】金型開閉機構の型開閉動作に対する信頼性，確実性を高めることができる成形機を提供する。【解決手段】金型開閉機構６を、可動側型板１２に揺動可能に支持されたカムロック２０と、固定側型板１５に支持され、上記カムロック２０に係合して上記可動側型板１２と固定側型板１５とを連結するロック位置と該カムロック２０との係合を解除して上記可動側型板１２と固定側型板１５とを非連結にするアンロック位置との間で移動可能なスライドロック２５と、型開き動作に伴ってスライドロック２５をアンロック位置に移動させ、型閉じ動作に伴って可動側型板１２と固定側型板１５とが型閉じするとスライドロック２５をロック位置に移動させるリリースバー２６とを備えたものとする。【選択図】      図５
2005161669.tif 000002
【特許請求の範囲】
【請求項１】
固定側金型部材と、可動側型板及び中間プレートを備えた可動側金型部材とを有する金型と、該金型の型開き時に上記可動側型板と中間プレートとの間を型開きし、次いで固定側型板と上記可動側型板との間を型開きする金型開閉機構とを備えた成形機において、上記金型開閉機構は、上記可動側型板に揺動可能に支持されたカムロックと、上記固定側型板に支持され、上記カムロックに係合して上記可動側型板と固定側型板とを連結するロック位置と該カムロックとの係合を解除して上記可動側型板と固定側型板とを非連結にするアンロック位置との間で移動可能なスライドロックと、上記金型の型開き動作に伴って上記スライドロックをアンロック位置に移動させ、型閉じ動作に伴って上記可動側型板と固定側型板とが型閉じするとスライドロックをロック位置に移動させるリリースバーとを備えていることを特徴とする成形機。
【請求項２】
請求項１において、上記可動側型板と固定側型板との対向部にはキャビティが形成され、該可動側型板にはキャビティに連通するゲートが形成されており、上記中間プレートには成形材料を上記ゲートを介してキャビティに供給する成形材料供給通路が形成されていることを特徴とする成形機。
【発明の詳細な説明】
【技術分野】
【０００１】
本発明は、金型を所定の順に型開きさせるようにした金型開閉機構を備えた成形機に関する。
【背景技術】
【０００２】
例えば、電子部品等の樹脂成形品を射出成形するようにした成形機では、一般的にピンポイント式金型が採用されている。このピンポイント式金型は、図１７（ａ）〜（ｄ）に示すように、可動側型板５０にキャビティに連通するゲートが形成された固定側型板５１を配設し、該固定側型板５１にゲートを介してキャビティに成形材料を供給する供給通路が形成されたランナストリッパプレート５２を配設した構造となっている。この金型では、型開きの順を、まず固定側型板５１とランナストリッパプレート５２との間を型開きし、次いで固定側型板５１と可動側型板５０との間を型開きする金型開閉機構を備える場合がある。
【０００３】
このような金型開閉機構として、可動側型板５０にロック部材５３を回動可能に支持させるとともにバネ５４によりロック方向に付勢させ、固定側型板５１に上記ロック部材５３がロックする固定部材５５を固定し、さらにランナストリッパプレート５２に上記ロック部材５３のロックを解除する解除レバー５６を固定した構造のものがある（例えば、特許文献１参照）。
【０００４】
上記金型開閉機構では、型閉じ状態から可動側型板５０が型開き動作を開始すると、ロック部材５３が固定部材５５にロックして固定側型板５１を可動側型板５０とともに移動させ、もって固定側型板５１とランナストリッパプレート５２との間が開く（図１７（ａ），（ｂ）参照）。可動側型板５０がさらに型開きすると、解除レバー５６がロック部材５３を上方に回動させて固定部材５５とのロックを解除する。これにより固定側型板５１と可動側型板５０との間を型開きする（図１７（ｃ），（ｄ）参照）。
【０００５】
一方、型閉じ動作を行なう場合は、ロック部材５３が固定部材５５に当たり、解除レバー５６がロック部材５３を押し上げる間、固定側型板５１が停止状態となり、この後、固定側型板５１とランナストリッパプレート５２との間が型閉じ動作を始め、両者５１，５２が型閉じする前に固定側型板５１と可動側型板５０とが型閉じする。
【特許文献１】特開２０００−２０２８８２号公報
【発明の開示】
【発明が解決しようとする課題】
【０００６】
ところで、上記従来の金型では、図１８（ａ），（ｂ）に示すように、型閉じ動作の途中でロック部材５３が固定部材５５に当たって、固定側型板５１が一旦停止状態となると、それ以降の固定側型板５１の型閉じ動作がスムーズに行なわれなくなる場合がある。このため固定側，可動側型板５１，５０の間が例えばｔだけ開いたままの状態で固定側型板５１とランナストリッパプレート５２とが先に型閉じし、極端な場合には金型のキャビティ部やインサート部品が損傷するという懸念があり、金型開閉機構の型開閉動作に対する信頼性，確実性に劣るという懸念がある。
【０００７】
一般に、可動側型板５０と固定側型板５１との間を閉じる時には、キャビティ，インサート部品への影響を回避するために型閉じ速度をできるだけ遅くし、他の型板は型閉じ速度を速くするようにしている。このような場合に、上述のようにランナストリッパプレート５２が先に型閉じると、これに伴って可動側型板５０の型閉じ速度が速くなり、金型が損傷するおそれがある。
【０００８】
本発明は、上記従来の状況に鑑みてなされたもので、金型開閉機構の型開閉動作に対する信頼性，確実性を高めることができる成形機を提供することを目的としている。
【課題を解決するための手段】
【０００９】
請求項１の発明は、固定側金型部材と、可動側型板及び中間プレートを備えた可動側金型部材とを有する金型と、該金型の型開き時に上記可動側型板と中間プレートとの間を型開きし、次いで固定側型板と上記可動側型板との間を型開きする金型開閉機構とを備えた成形機において、上記金型開閉機構は、上記可動側型板に揺動可能に支持されたカムロックと、上記固定側型板に支持され、上記カムロックに係合して上記可動側型板と固定側型板とを連結するロック位置と該カムロックとの係合を解除して上記可動側型板と固定側型板とを非連結にするアンロック位置との間で移動可能なスライドロックと、上記金型の型開き動作に伴って上記スライドロックをアンロック位置に移動させ、型閉じ動作に伴って上記可動側型板と固定側型板とが型閉じするとスライドロックをロック位置に移動させるリリースバーとを備えていることを特徴としている。
【００１０】
請求項２の発明は、請求項１において、上記可動側型板と固定側型板との対向部にはキャビティが形成され、該可動側型板にはキャビティに連通するゲートが形成されており、上記中間プレートには成形材料を上記ゲートを介してキャビティに供給する成形材料供給通路が形成されていることを特徴としている。
【発明の効果】
【００１１】
請求項１の発明に係る金型開閉機構は、型閉じ状態では、カムロックがスライドロックに係合して可動側型板を固定側型板に連結しており、これにより型開き動作を開始すると可動側型板と中間プレートとの間が先に型開きする。このときの型開き動作に伴ってリリースバーがスライドロックをアンロック位置側に移動させ、これによりカムロックとの係合が解除されて可動側型板と固定側型板とが非連結となり、もって固定側型板と可動側型板との間が型開きする。
【００１２】
型開き状態から可動側型板が型閉じ動作を開始し、該可動側型板と固定側型板とが型閉じすると、リリースバーがスライドロックをロック位置側に移動させ、もってスライドロックにカムロックが係合し、次いで固定側型板と中間プレートとが型閉じする。
【００１３】
このように本発明では、金型の型開き動作に伴ってスライドロックをアンロック位置に移動させ、型閉じ動作に伴って可動側型板と固定側型板とが型閉じするとスライドロックをロック位置に移動させるようにしたので、型閉じ動作時にカムロックがスライドロックに接触して干渉したりするのを防止できる。その結果、可動側型板と固定側型板とを負荷をかけることなく確実に型閉じさせることができ、金型開閉機構の型開閉動作に対する信頼性，確実性を高めることができる。
【００１４】
請求項２の発明では、可動側型板と固定側型板との対向部にキャビティを形成し、可動側型板にキャビティに連通するゲートを形成し、さらに中間プレートに成形材料を上記ゲートを介してキャビティに供給する成形材料供給通路を形成したので、成形品とランナとの切り離し及び成形品の取り出しを確実に行なうことができる。
【発明を実施するための最良の形態】
【００１５】
以下、本発明の実施の形態を添付図面に基づいて説明する。
【００１６】
図１ないし図１６は、本発明の一実施形態による成形機を説明するための図であり、図１，図２は金型を備えた成形機の概略構成図、図３，図４は金型の断面図、図５（ａ），（ｂ）〜図８（ａ），（ｂ）はそれぞれ金型開閉機構の構成及び型開き動作を示す図、図９（ａ），（ｂ）〜図１６（ａ），（ｂ）はそれぞれ金型開閉機構の型閉じ動作を示す図である。なお、図５（ｂ）〜図１６（ｂ）は矢印Ｘ方向に見た図である。
【００１７】
図において、１は電子部品等のインサート成形品Ａを射出成形するようにした成形機を示している。この成形機１は、主として、固定ベース２上に可動側金型部材３及び固定側金型部材４を備えた金型５を配設するとともに、該固定ベース２下に上記金型５を型開き位置と型閉じ位置との間で開閉駆動する金型駆動部（不図示）を配設し、さらに金型駆動部の開閉動作に伴って上記金型５を所定の順に開閉制御する金型開閉機構６を配設して構成されている。
【００１８】
上記可動側金型部材３は、可動側型板１２上に中間プレートとしてのランナストリッパプレート１３及びノズルタッチプレート１４を配置して構成されている。また上記固定側金型部材４は、固定ベース２上に固定プレート１７を配置するとともに、該固定プレート１７上にエジェクタプレート１６を配置し、該エジェクタプレート１６の上方に固定側型板１５を配置して構成されている。
【００１９】
上記固定側型板１５と可動側型板１２との対向部にはキャビティ５ａ，５ａが形成されており、該可動側型板１２にはキャビティ５ａに連通するゲート１２ａ，１２ａが形成されており、該各ゲート１２ａは可動側型板１２の上面に形成された供給通路１２ｂに連通している。
【００２０】
上記ノズルタッチプレート１４にはスプル１８ａを有するスプルブッシュ１８が装着されており、該スプルブッシュ１８のスプル１８ａはランナストリッパプレート１３を挿通して上記供給通路１２ｂに連通している。また上記スプルブッシュ１８には成形材料を供給する供給ノズル１９が接続されている。
【００２１】
上記可動側型板１２と固定側型板１５との間にはインサート成形品Ａを搬送するフープ１０が配設され、該フープ１０は左，右のガイド１１により搬送方向Ｂに移動可能に支持されている。このフープ１０を搬送方向Ｂに間欠的に移動させることにより、インサート成形品Ａを取り出すとともに次の成形部をキャビティ５ａに送り込むようになっている。
【００２２】
上記エジェクタプレート１６にはエジェクタピン１６ａ，１６ａが固定されており、各エジェクタピン１６ａは固定側型板１５を挿通してキャビティ５ａに臨む位置に配置されている。上記エジェクタプレート１６が可動側型板１２の型開き動作に連動して上昇し、エジェクタピン１６ａを固定側型板１５の上面から突出させ、該エジェクタピン１６ａでインサート成形品Ａを突き上げて固定側型板１５から分離させる。また可動側型板１２の型閉じ動作に連動してエジェクタプレート１６が下降し、エジェクタピン１６ａを固定側型板１５内に没入させるようになっている。
【００２３】
上記金型５によるインサート成形品Ａの成形工程について説明する。図３，図４に示すように、固定側型板１５，可動側型板１２，ランナストリッパプレート１３，ノズルタッチプレート１４がそれぞれ型閉じすると、供給ノズル１９から溶融した成形材料が注入され、スプル１８ａ，供給通路１２ｂ，各ゲート１２ａを通ってキャビティ５ａ，５ａ内に供給される。この状態で成形材料の固化に必要な所定時間保持し、インサート成形品Ａを成形する。
【００２４】
この成形工程が終了すると、金型５が型開き動作を開始する。まずノズルタッチプレート１４とともにランナストリッパプレート１３が上昇し、該可動側型板１２とランナストリッパプレート１３との間を型開きする。この型開き動作によりインサート成形品Ａはゲート１２ａ，１２ａで切り離される。続いて可動側型板１２，ランナストリッパプレート１３，ノズルタッチプレート１４が上昇して固定側型板１５との間を型開きし、エジェクタピン１６ａによりフープ１０を突き上げて固定側型板１５から分離させ、該フープ１０をＢ方向に搬送する。これと同期してランナストリッパプレート１３とノズルタッチプレート１４との間を型開きしてランナＣを供給ノズル１９から切り離す。
【００２５】
上記金型開閉機構６は、上述の金型５の型開き時に可動側型板１２とランナストリッパプレート１３との間を先に型開きし、次いで可動側型板１２と固定側型板１５との間を型開きし、型閉じ時に固定側型板１５と可動側型板１２との間を先に型閉じし、次いで可動側型板１２とランナストリッパプレート１３との間を型閉じするように構成されており、詳細には以下の構造となっている。
【００２６】
上記可動側型板１２には概ねＬ字状のカムロック２０が支持軸２１を介して揺動可能に支持されており、該カムロック２０は圧縮ばね２２によりロック方向に付勢されている。このカムロック２０の下端部にフック部２０ａが形成されている。
【００２７】
上記固定側型板１５にはスライドブロック２３が固定されている。このスライドブロック２３には型開閉方向（垂直方向）に延びるガイド孔２３ａと、型開閉方向と直角方向（水平方向）に延びるスライド孔２３ｂとが交差するように形成されている。
【００２８】
上記スライドブロック２３のスライド孔２３ｂ内にはスライドロック２５が型開閉方向と直角方向に移動可能に挿入されている。このスライドロック２５には上記ガイド孔２３ａに連通する係合孔２５ａが形成されており、先端部には傾斜面２５ｂが形成されている。この傾斜面２５ｂは、型閉じ時に何らかのトラブルによってカムロック２０の下面が当接した場合に、該カムロック２０を反付勢方向（図面時計回り）に回動させることによりスライドロック２５に干渉するのを回避するためのものである。
【００２９】
上記スライドロック２５は、スライドブロック２３から突出して上記カムロック２０のフック部２０ａに係合するロック位置と、スライドブロック２３内に没入して上記カムロック２０との係合を解除するアンロック位置との間で進退移動する。これにより上記ロック位置では可動側型板１２と固定側型板１５とが連結され、可動側型板１２の上昇が阻止される。また上記アンロック位置では可動側型板１２と固定側型板１５とが非連結となり、これにより可動側型板１２が上昇する。
【００３０】
上記ノズルタッチプレート１４にはリリースバー２６が配設されている。このリリースバー２６は、上記ノズルタッチプレート１４にボルト締め固定された取付け部２６ａにガイド部２６ｂを形成した構造のものからなり、該ガイド部２６ｂは上記スライドブロック２３のガイド孔２３ａ及びカムロック２５の係合孔２５ａを挿通して下方に延びている。このガイド部２６ｂは取付け部２６ａから垂直下方に延びる上非係合部２６ｃと、該上非係合部２６ｃの下端から斜め下方に傾斜して延びる傾斜部２６ｄと、該傾斜部２６ｄの下端から垂直下方に延びる下非係合部２６ｅとを備えている。
【００３１】
上記リリースバー２６は、型閉じ時には上非係合部２６ｃがスライドロック２５に係合して該スライドロック２５をロック位置に保持し、型開き動作に伴ってノズルタッチプレート１４が上昇すると、傾斜部２６ｄがスライドロック２５に係合して該スライドロック２５をアンロック位置側に移動させ、ノズルタッチプレート１４がさらに上昇すると、下係合部２６ｅがスライドロック２５に係合して該スライドロック２５をアンロック位置に保持するように構成されている。ここで、図８（ｂ）に示すように、可動側型板１２の固定側型板１５との型開きのタイミングは、上記リリースバー２６の上非係合部２６ｃの寸法ａを適宜設定することにより調整可能である。
【００３２】
上記金型開閉機構６は、型閉じ状態では、カムロック２０にスライドロック２５が係合している（図５（ａ），（ｂ）参照）。この型閉じ状態から型開きを開始すると、まずノズルタッチプレート１４とともにランナストリッパプレート１３が上昇し、ノズルタッチプレート１４の上昇に伴って可動側型板１２とランナストリッパプレート１３との間が開く（図６（ａ），（ｂ）参照）。これによりインサート成形品Ａがゲート１２ａにて切り離される。ここでランナストリッパプレート１３が上昇しても、可動側型板１２はカムロック２０，スライドロック２５を介して固定側型板１５に連結されており、両者１２，１５の間が開くことはない。
【００３３】
この状態からノズルタッチプレート１４が上昇すると、リリースバー２６がスライドロック２５をロック解除方向に後退させ、該ノズルタッチプレート１４がさらに上昇するとスライドロック２５がアンロック位置に後退し、もってカムロック２０との係合が解除される（図７（ａ），（ｂ）参照）。これにより可動側型板１２と固定側型板１５との連結が解除され、該可動側型板１２が上昇し、固定側型板１５との間が型開きする。これによりインサート成形品Ａが固定側型板１５から分離されるとともに搬送され、これに同期してランナストリッパプレート１３とノズルタッチプレート１４との間が開き型し、ランナＣが切り離されて排出される。このようにして型開き動作が終了する（図８（ａ），（ｂ）参照）。
【００３４】
型開き状態ではスライドロック２５はアンロック位置に待機している（図９（ａ），（ｂ）参照）。この状態から型閉じ動作が開始すると、まず可動側型板１２が下降し、固定側型板１２に当接する（図１０（ａ），（ｂ）〜図１２（ａ），（ｂ）参照）。この可動側型板１２が型閉じ動作を行なっているときにはスライドロック２５はアンロック位置に待機しているので、カムロック２０がスライドロック２５に接触したり，干渉したりすることはない。従って、余分な負荷をかけることなくスムーズに型閉じを行なうことができる。
【００３５】
ここで、可動側型板１２の型閉じ速度はノズルタッチプレート１４の型閉じ速度より遅く設定されている。このようにすることによりキャビティの成形空間を精度よく保持できる。一般にキャビティには成形品に応じた精密な凹凸が形成されており、このため型閉じ速度を早くすると凹凸が破損するおそれがある。またインサート成形の場合には、インサート部材の損傷を防止する観点から可動側型板１２の型閉じ速度をできるだけ遅くするのが望ましい。上述の従来の金型動作になった場合には、通常の型閉じ速度設定であれば可動側，固定側型板間が高速で型閉じすることになり、キャビティやインサート部材が損傷するおそれがある。また仮に従来金型の動作を想定して型閉じ速度を設定すると、全て低速に設定する必要があり、このようにすると成形サイクルの延長の原因となる。
【００３６】
一方、上記可動側型板１２の型閉じ動作に追従してノズルタッチプレート１４が下降し、可動側型板１２が型閉じすると略同時にリリースバー２６がスライドロック２５をロック位置側に前進させ、ノズルタッチプレート１４がさらに下降するとスライドロック２５がカムロック２０に係合し、もって可動側，固定側型板１２，１５が連結される（図１３（ａ），（ｂ）及び図１４（ａ），（ｂ）参照）。ノズルタッチプレート１４の下降に伴って、ランナストリッパプレート１３が可動側型板１２に当接し，続いてノズルタッチプレート１４がランナストリッパプレート１３に当接し、もって型閉じ動作が終了する（図１５（ａ），（ｂ）及び図１６（ａ），（ｂ）参照）。
【００３７】
ここで、例えば可動側型板１２の摺動不良等により、ノズルタッチプレート１４が先に型閉じ動作を行なった場合には、カムロック２０がスライドロック２５に当たることとなるが、該カムロック２０はスライドロック２５の傾斜面２５ｂに沿ってロック方向と反対方向に回動し、もってスライドロック２５に干渉することなく係合することとなる。
【００３８】
本実施形態の金型開閉機構６によれば、可動側型板１２に揺動可能に支持されたカムロック２０と、固定側型板１５に固定されたスライドブロック２３に支持され、上記カムロック２０に係合して可動側，固定側型板１２、１５を連結するロック位置と該カムロック２０との係合を解除して非連結にするアンロック位置との間で移動可能なスライドロック２５と、該スライドロック２５を型開き動作に伴ってアンロック位置に移動させ、型閉じ動作に伴って可動側型板１２と固定側型板１５とが型閉じするとロック位置に移動させるリリースバー２６とを備えたので、型閉じ動作中にカムロック２０がスライドロック２５に接触して干渉したりするのを防止でき、可動側型板１２と固定側型板１５とを負荷をかけることなく確実に型閉じさせることができ、型開閉動作に対する信頼性，確実性を高めることができる。その結果、金型５の損傷を防止できるとともに、インサート成形品ＡとランナＣとの切り離し及びインサート成形品Ａの取り出しを確実に行なうことができる。
【００３９】
なお、上記実施形態では、上下方向に開閉する縦型タイプの金型を例にとって説明したが、水平方向に開閉する横型タイプの金型にも勿論適用できる。
【００４０】
また上記実施形態では、インサート成形品を製造する場合を例にとって説明したが、本発明はこれに限られるものではなく、インサートでない通常の単品成形の場合にも適用できる。
【図面の簡単な説明】
【００４１】
【図１】本発明の一実施形態による金型を備えた成形機の概略構成図である。
【図２】上記成形機の概略構成図である。
【図３】上記金型の型閉じ状態の断面図である。
【図４】上記金型の型開き状態の断面図である。
【図５】上記金型の金型開閉機構の構成及び型開き動作を示す図である。
【図６】上記金型開閉機構の型開き動作を示す図である。
【図７】上記金型開閉機構の型開き動作を示す図である。
【図８】上記金型開閉機構の型開き動作を示す図である。
【図９】上記金型開閉機構の型閉じ動作を示す図である。
【図１０】上記金型開閉機構の型閉じ動作を示す図である。
【図１１】上記金型開閉機構の型閉じ動作を示す図である。
【図１２】上記金型開閉機構の型閉じ動作を示す図である。
【図１３】上記金型開閉機構の型閉じ動作を示す図である。
【図１４】上記金型開閉機構の型閉じ動作を示す図である。
【図１５】上記金型開閉機構の型閉じ動作を示す図である。
【図１６】上記金型開閉機構の型閉じ動作を示す図である。
【図１７】従来の一般的な金型開閉機構を示す図である。
【図１８】従来の金型開閉機構を示す図である。
【符号の説明】
【００４２】
１        成形機
５        金型
５ａ      キャビティ
６        金型開閉機構
１２      可動側型板
１２ａ    ゲート
１３      ランナストリッパプレート（中間プレート）
１５      固定側型板
２０      カムロック
２５      スライドロック
２６      リリースバー
【図１】
2005161669.tif 000003
【図２】
2005161669.tif 000004
【図３】
2005161669.tif 000005
【図４】
2005161669.tif 000006
【図５】
2005161669.tif 000007
【図６】
2005161669.tif 000008
【図７】
2005161669.tif 000009
【図８】
2005161669.tif 000010
【図９】
2005161669.tif 000011
【図１０】
2005161669.tif 000012
【図１１】
2005161669.tif 000013
【図１２】
2005161669.tif 000014
【図１３】
2005161669.tif 000015
【図１４】
2005161669.tif 000016
【図１５】
2005161669.tif 000017
【図１６】
2005161669.tif 000018
【図１７】
2005161669.tif 000019
【図１８】
2005161669.tif 000020